(57)【要約】【課題】テレビセットにおいて画面調整のため、垂直偏向波形の位相を前後に移動させる必要がある。また、フィールド毎に垂直同期信号の間隔が違うような場合でも、映像信号に一致した垂直偏向波形を生成する必要がある。【解決手段】垂直同期信号Ａを基準として垂直位相を前に動かした垂直偏向波形を生成するための位相制御信号を作る第１の位相制御装置１５と、前記垂直同期信号を基準として垂直位相を後に動かした垂直偏向波形を生成するための位相制御信号を作る第２の位相制御装置１４と、垂直位相を前に動かすか後に動かすかを示す制御切替信号に応じて選択される、前記第１、第２のいずれかの位相制御装置からの位相制御信号に応じて、所要の垂直位相を有する垂直偏向波形を生成する垂直偏向波形発生カウンタ１２と、を備えた。【選択図】      図１
2004153701.tif 000002
【特許請求の範囲】
【請求項１】
垂直偏向を行うための垂直偏向波形の位相を制御する垂直偏向波形生成装置であって、
垂直同期信号入力端子より入力された垂直同期信号を基準として垂直位相を前に動かした垂直偏向波形を生成するための位相制御信号を作る第１の位相制御装置と、
前記垂直同期信号を基準として垂直位相を後に動かした垂直偏向波形を生成するための位相制御信号を作る第２の位相制御装置と、
垂直位相を前に動かすか後に動かすかを示す制御切替信号に応じて選択される、前記第１および第２の位相制御装置のいずれかの出力である位相制御信号に応じて、所要の垂直位相を有する垂直偏向波形を生成する垂直偏向波形発生カウンタと、を備えた、
ことを特徴とする垂直偏向波形生成装置。
【請求項２】
請求項１記載の垂直偏向波形生成装置において、
前記第２の位相制御装置は、垂直同期信号を入力とし、前記垂直同期信号を基準として一定時間遅延させる遅延装置を備え、
前記垂直偏向波形発生カウンタは、前記遅延装置により生成される遅延された垂直同期信号を基準に、垂直偏向波形を生成する、
ことを特徴とする垂直偏向波形生成装置。
【請求項３】
請求項２記載の垂直偏向波形生成装置において、
前記遅延装置は、垂直同期信号でリセットされ任意のパルスによってカウントアップするカウンタと、
そのカウント値と任意の値とを比較し一致したときにパルスを出力する比較器と、より構成される、
ことを特徴とする垂直偏向波形生成装置。
【請求項４】
請求項１ないし３のいずれかに記載の垂直偏向波形生成装置において、
前記垂直偏向波形発生カウンタは、前記垂直同期信号を入力として有し、該垂直同期信号が入力されたときに任意のロード値を取り込み、該ロード値を初期値として垂直偏向波形を生成する、
ことを特徴とする垂直偏向波形生成装置。
【請求項５】
請求項４記載の垂直偏向波形生成装置において、
前記第１の位相制御装置は、
前記垂直偏向波形発生カウンタが出力すべき垂直偏向波形の位相を設定する設定値を、前記ロード値に変換するロード値生成回路を備えた、
ことを特徴とする垂直偏向波形生成装置。
【請求項６】
請求項１ないし５のいずれかに記載の垂直偏向波形生成装置において、
前記第１の位相制御装置は、
前記垂直同期信号の間隔を検出する垂直同期信号間隔検出回路と、
前記検出回路の検出値と、前記垂直偏向波形発生カウンタで発生した垂直偏向波形の値とを比較して、前記垂直偏向波形発生カウンタの垂直偏向波形の値を初期値に戻すリセット回路と、を備えて構成される、
ことを特徴とする垂直偏向波形生成装置。
【請求項７】
請求項１ないし５のいずれかに記載の垂直偏向波形生成装置において、
前記第１の位相制御装置は、
任意の一定値と、垂直偏向波形の値とを比較して、前記垂直偏向波形発生カウンタの垂直偏向波形の値を初期値に戻すリセット回路、を備えて構成される、
ことを特徴とする垂直偏向波形生成装置。
【発明の詳細な説明】
【０００１】
【発明の属する技術分野】
本発明は、垂直偏向波形生成装置に関し、特に、テレビジョン受像機において垂直偏向に使用する垂直偏向波形を生成する垂直偏向波形生成装置に関する。
【０００２】
【従来の技術】
近年、テレビジョン受像機の入力ソースが多様化して、非標準信号の場合でも問題なく受像が可能となる垂直偏向回路の機能開発、及びコストダウンが重要視されている。以下、従来の垂直位相を調整する垂直偏向波形生成装置について説明する。
【０００３】
図７は、特許文献１において提案されている垂直位相調整回路のブロック構成図を示すものである。図７において、入力端子３５から入力される垂直同期信号は、モノマルチバイブレータ３１  、３２  、３３  及び３４によって、ほぼ２垂直周期期間遅延され、疑似垂直同期信号となって出力端子３６より出力される。上記の構成により、前記疑似垂直同期信号から垂直偏向波形を生成することにより、垂直偏向波形の位相を前後することを実現でき、また、フィールドダブルスキャン信号のような、フィールド毎に垂直同期信号の間隔が異なるような信号の垂直同期信号を、正しく走査が出来るようにすることが可能となる。
【０００４】
【特許文献１】
特開平１０  −１３７０３号（第４頁、第１図）
【０００５】
【発明が解決しようとする課題】
しかしながら上記のような構成では、次のような課題を有している。すなわち、モノマルチバイブレータを４段使用しているため、ばらつき、あるいは温度ドリフト量が、モノマルチバイブレータを１段使用する時と比較してほぼ４倍となり、回路構成上、不安定な要素が増す。また、入力される垂直同期信号をほぼ２垂直周期期間遅延させるため、管面上の映像信号と、垂直偏向用の垂直パルスの垂直位相とが、２垂直期間だけずれるため、正確な垂直偏向を行うことが出来ないこととなる。
【０００６】
この発明は、上記のような従来の問題点に鑑みてなされたもので、テレビセットにおいて、画面調整のため、垂直偏向波形の位相を前後に移動させることを容易に可能とし、フィールド毎に垂直同期信号の間隔が違うような場合でも、映像信号に一致した垂直偏向波形を容易に生成することができ、正確な垂直偏向波形を生成することのできる垂直偏向波形生成装置を提供することを目的としている。
【０００７】
【課題を解決するための手段】
上記課題を解決するために、本発明（請求項１）にかかる垂直偏向波形生成装置は、垂直偏向を行うための垂直偏向波形の位相を制御する垂直偏向波形生成装置であって、垂直同期信号入力端子より入力された垂直同期信号を基準として垂直位相を前に動かした垂直偏向波形を生成するための位相制御信号を作る第１の位相制御装置と、前記垂直同期信号を基準として垂直位相を後に動かした垂直偏向波形を生成するための位相制御信号を作る第２の位相制御装置と、垂直位相を前に動かすか後に動かすかを示す制御切替信号に応じて選択される、前記第１および第２の位相制御装置のいずれかの出力である位相制御信号に応じて、所要の垂直位相を有する垂直偏向波形を生成する垂直偏向波形発生カウンタと、を備えたものである。
【０００８】
また、本発明（請求項２）にかかる垂直偏向波形生成装置は、請求項１記載の垂直偏向波形生成装置において、前記第２の位相制御装置は、垂直同期信号を入力とし、前記垂直同期信号を基準として一定時間遅延させる遅延装置を備え、前記垂直偏向波形発生カウンタは、前記遅延装置により生成される遅延された垂直同期信号を基準に、垂直偏向波形を生成するものである。
【０００９】
また、本発明（請求項３）にかかる垂直偏向波形生成装置は、請求項２記載の垂直偏向波形生成装置において、前記遅延装置は、垂直同期信号でリセットされ任意のパルスによってカウントアップするカウンタと、そのカウント値と任意の値とを比較し一致したときにパルスを出力する比較器と、より構成されるものである。
【００１０】
また、本発明（請求項４）にかかる垂直偏向波形生成装置は、請求項１ないし３のいずれかに記載の垂直偏向波形生成装置において、前記垂直偏向波形発生カウンタは、前記垂直同期信号を入力として有し、該垂直同期信号が入力されたときに任意のロード値を取り込み、該ロード値を初期値として垂直偏向波形を生成するものである。
【００１１】
また、本発明（請求項５）にかかる垂直偏向波形生成装置は、請求項４記載の垂直偏向波形生成装置において、前記第１の位相制御装置は、前記垂直偏向波形発生カウンタが出力すべき垂直偏向波形の位相を設定する設定値を、前記ロード値に変換するロード値生成回路を備えたものである。
【００１２】
また、本発明（請求項６）にかかる垂直偏向波形生成装置は、請求項１ないし５のいずれかに記載の垂直偏向波形生成装置において、前記第１の位相制御装置は、前記垂直同期信号の間隔を検出する垂直同期信号間隔検出回路と、前記検出回路の検出値と、前記垂直偏向波形発生カウンタで発生した垂直偏向波形の値とを比較して、前記垂直偏向波形発生カウンタの垂直偏向波形の値を初期値に戻すリセット回路と、を備えて構成されるものである。
【００１３】
また、本発明（請求項７）にかかる垂直偏向波形生成装置は、請求項１ないし５のいずれかに記載の垂直偏向波形生成装置において、前記第１の位相制御装置は、任意の一定値と、垂直偏向波形の値とを比較して、前記垂直偏向波形発生カウンタの垂直偏向波形の値を初期値に戻すリセット回路、を備えて構成されるものである。
【００１４】
【発明の実施の形態】
以下、本発明の実施の形態について図面を参照しながら説明する。
（実施の形態１）
【００１５】
図１は、本発明の実施の形態１による垂直偏向波形生成装置のブロック図である。図１において、１は垂直同期信号を入力するための垂直同期信号入力端子である。２はカウンタのカウントアップ信号を入力するためのカウントアップ信号入力端子である。３は発生すべき垂直偏向波形の垂直位置指定値を入力するための垂直位置指定値入力端子である。４は垂直同期信号入力端子１への垂直同期信号によりリセットされ、任意のカウントアップ信号によってカウントアップするカウンタである。５は上記カウンタ４のカウント値と、垂直位置指定値入力端子３の垂直位置指定値とを比較し、一致したときにパルスを出力する比較器であり、上記カウンタ４と、上記比較器５とにより、垂直同期信号を基準に垂直位相を後に動かした垂直偏向波形を生成するための位相制御信号を作る第２の位相制御装置１４を、構成している。
【００１６】
また、６は垂直同期信号入力端子１への垂直同期信号によりリセットされ、任意のカウントアップ信号によってカウントアップするカウンタである。７は該カウンタ６の出力の最大値を検出する最大値検出回路、８は該最大値検出回路７で検出された最大値を、２垂直期間遅らせる２Ｖ遅延回路、９は上記２Ｖ遅延する２Ｖ遅延回路８の出力と、垂直偏向波形発生カウンタ１２の垂直偏向波形出力とを比較する比較器であり、これらのカウンタ６、最大値検出回路７、２Ｖ遅延回路８、比較器９により、垂直同期信号を基準に垂直位相を前に動かした垂直偏向波形を生成するための位相制御信号を作る第１の位相制御装置１５を、構成している。
【００１７】
また、１０は垂直偏向波形発生カウンタ１２の垂直偏向波形出力の位相である、垂直位相を前に動かすか後に動かすかの、制御切換え信号１０ｃを発生する制御切換信号発生回路である。
【００１８】
また、１１はロード値生成回路であり、垂直位置指定値入力端子３への垂直位置指定値を入力として、前記垂直同期信号端子１への垂直同期信号が入力されたときに垂直偏向波形発生カウンタ１２が出力すべき垂直偏向波形の位相の設定値を、ロード値に変換することによりロード値を生成するものである。
【００１９】
１２は該ロード値生成回路１１のロード値に基づき、垂直偏向波形を生成する垂直偏向波形発生カウンタである。１３は上記垂直偏向波形発生カウンタ１２の垂直偏向波形出力端子である。
【００２０】
図２は、本発明の実施の形態１における、前記垂直同期信号を基準に垂直位相を後に動かした垂直偏向波形を生成する場合の、各部の状態を示す波形図である。
図２において、Ａは垂直同期信号、Ｂはカウンタ４の出力で、垂直同期信号に同期した偏向波形の、のこぎり波、Ｃはカウンタ４の出力と、垂直位置指定値入力端子３から入力された垂直位置指定値とを比較し、一致したときにパルスを発生する比較器５の出力、Ｄは、比較器５の出力パルスを基準に、垂直偏向波形発生カウンタ１２で生成される垂直偏向波形である。ここで、ＢおよびＤは、本来はカウンタの出力のデジタル値であるが、値を波形で表現している。
【００２１】
図３は、本発明の実施の形態１における、前記垂直同期信号を基準に垂直位相を前に動かした垂直偏向波形を生成する場合の、各部の状態を示す波形図である。
図３において、Ｅは、垂直同期信号、Ｆは垂直同期信号に同期した偏向波形の、のこぎり波の出力、Ｇは垂直偏向波形発生カウンタ１２の出力である。ここで、ＦおよびＧは、本来はカウンタの出力のデジタル値であるが、値を波形で表現している。
【００２２】
本発明の実施の形態１の動作について、図１および図２を用いて、垂直位相を後ろに移動させる場合について説明する。
垂直同期信号入力端子１から入力された垂直同期信号によって、カウンタ４は初期値にリセットされ、カウンタ４は該初期値より、カウントアップ信号入力端子２より入力されたカウントアップ信号によりカウントアップされ、Ｂのような垂直同期信号に同期した偏向波形である、のこぎり波を生成する。一般的には、カウントアップ信号は、水平同期信号などの一定周期のパルスが用いられる。カウンタ４より出力された、のこぎり波の値と、垂直位置指定値入力端子２に入力された垂直位置指定値とは、比較器５で比較され、一致した時に比較器５よりパルスを発生させ、垂直同期信号Ａより、垂直位置指定値によって指定した値分、遅延したパルスＣを生成する。該遅延したパルスＣによって垂直偏向波形発生カウンタ１２は初期値にされ、垂直偏向波形発生カウンタ１２は、初期値より、カウントアップ信号入力端子２より入力されたカウントアップ信号によりカウントアップされ、Ｄのような垂直偏向波形の、のこぎり波を生成し、垂直偏向波出力端子１３より出力される。このようにして垂直同期信号に同期した，のこぎり波である、垂直偏向波形の垂直位相を後ろに移動した，のこぎり波を生成することができる。
【００２３】
また、図１および図３を用いて垂直位相を前に移動させる場合について説明する。垂直同期信号入力端子１から入力された垂直同期信号によって、垂直偏向波形発生カウンタ１２は、ロード値生成回路１１より出力されたロード値をロードし、このロードしたロード値より、カウントアップ信号入力端子２より入力されたカウントアップ信号によりカウントアップされる。
【００２４】
一方で、垂直同期信号入力端子１から入力された垂直同期信号によって、カウンタ６は初期値にリセットされ、カウンタ６は該初期値より、カウントアップ信号入力端子２より入力されたカウントアップ信号によりカウントアップされ、Ｆのような垂直同期信号に同期した偏向波形の、のこぎり波を生成する。カウンタ６は、垂直同期信号によりリセットされるが、カウンタ６の出力より、リセットされる直前の値を記憶することにより、最大値検出回路７で、のこぎり波Ｆの最大値を検出する。最大値検出回路７で検出された値は、２Ｖ遅延回路８で２垂直期間、遅延される。垂直偏向波形発生カウンタ１２の出力と、２Ｖ遅延８の出力は、比較器９で比較され、垂直偏向波形発生カウンタ１２を初期値にリセットする。このことにより、図３中の矢印のように２垂直期間前の、のこぎり波の最大値によって、垂直偏向波形発生カウンタ１２の最大値を決めることができる。即ち、この最大値の検出によって、垂直同期信号間の間隔を検出しているものである。
【００２５】
この２つの動作の組み合わせにより、図３のＧのような波形が得られる。Ｇの波形において、のこぎり波の下部がひずんでいるが、実際のテレビジョン受像機において画面が表示される部分は、ｃ−ｄ間であるので、ｃ−ｄ間が元波形である、のこぎり波Ｆと同様で、前に位相を移動することができ、このようにして、垂直同期信号に同期したのこぎり波である、垂直偏向波形の垂直位相を前に移動したのこぎり波を生成できる。
【００２６】
また、垂直偏向波形の位相を前に動かすか、後ろに動かすかは、垂直位置指定値によって決まるため、垂直位置指定値入力端子３からの垂直位置指定値を判断し、制御切換信号発生回路１０にて、垂直位置指定値より位相を後ろに動かす第２の位相制御装置１４の制御信号１４ｃを用いるか、位相を前に動かす第１の位相制御装置１５の制御信号１５ｃを用いるか、を切り換える切換信号１０ｃを作る。
【００２７】
さらに、図４は、ロード値生成回路１１の動作原理を示す図である。図４を用いてロード値生成回路１１の動作について説明する。４０は垂直同期信号に一致した垂直偏向波形、４１は上記垂直偏向波形４０の位相を前に動かした垂直偏向波形、４２は上記垂直偏向波形４０の位相を後ろに動かした垂直偏向波形である。
【００２８】
垂直位置指定値が正の値の場合は、後ろに動かし、負の値の場合は、前に動かす場合について説明する。正の値の場合は、後ろに動かすため、前記の第２の位相制御装置１４にて、垂直位置指定値を比較器５の比較値として用いて、後ろに位相を動かす。負の値の場合は、前に動かすために垂直位置指定値を用いてロード値とするが、垂直位置指定値を反転した値をロード値とするだけでは、垂直偏向波形に傾きがあることにより、垂直位置指定値の絶対値が同じであっても、垂直位置の位相の移動量が違ってくる。そのため、ロード値生成回路１１にて補正を行う。
【００２９】
図４の場合は、傾きがｍ／ｎであるので、ロード値生成回路１１にて垂直位置指定値にｍ／ｎを乗算し、ロード値とすることで、垂直偏向波形の位相を前に動かす場合も、後ろに動かす場合も、垂直位置指定値の変化量に応じて、垂直変更波形の位相を同じ量だけ動かすことが出来る。
【００３０】
図５は、垂直偏向波形発生カウンタ１２の詳細な回路図である。２０はセレクタ、２１はｎビット幅の加算器、２２はｎビット幅のＡＮＤ、２３はｎビット幅のフリップフロップ、２４はｎビット幅のセレクタ、２５はＡＮＤである。そして、２６で囲まれた領域がカウンタとなる。
【００３１】
図５を用いて垂直偏向波形発生カウンタ１２の動作について説明する。垂直偏向波形４０の位相を後ろに動かす場合、すなわち、図５では、切換信号１０ｃが０の場合は、セレクタ２０がＲＳＴ０の信号を選択するので、図１に示される第２の位相制御回路１４の出力（比較器出力）である図２の波形Ｃ（１４ｃ）が、ＲＳＴ０に制御パルスとして入ることによって、制御パルスが“０”の時にＡＮＤ２２の出力が“０”になり、“０”が、カウントアップ信号によってフリップフロップ２３に取り込まれ、カウンタ２６がリセットされ、“０”がＯＵＴ端子から出力される。その後、ＲＳＴ０が“１”になり、カウントアップ信号でカウンタ２６はカウントアップされ、位相を後ろに動かした垂直偏向波形４２を出力することができる。
【００３２】
垂直偏向波形４０の位相を前に動かす場合、図５では、切換信号１０ｃが“１”の場合は、ＡＮＤ２５において、図３の波形Ｅの垂直同期信号がロード信号ＬＯＡＤとしてセレクタ２４に入るため、垂直同期信号が入るたびにロード値がロードされ、ロード値より、カウントアップ信号に、のこぎり波を生成する。また、セレクタ２０がＲＳＴ１の信号を選択するため、図１の比較器９の出力を、ＲＳＴ１に入れることによって、カウンタ１２の最大値が決まり、垂直偏向波形の位相を前に動かした垂直偏向波形４１を出力することができる。
【００３３】
このような、本実施の形態１による垂直偏向を行うための垂直位相を制御する垂直偏向波形生成装置においては、垂直同期信号入力端子１より入力された現在の垂直同期信号よりカウンタ４と比較器５を用いて後ろに位相を動かしたパルスを作ることにより垂直偏向波形の位相を後ろに動かすことができ、垂直同期信号入力端子１より入力された現在の垂直同期信号より適切なロード値を垂直偏向波形発生カウンタ１２にロードすることにより、垂直偏向波形の位相を前に動かすことができ、制御切換信号発生回路１０により、この２つの位相制御回路１４、１５を垂直位置指定値入力端子より入力された垂直位置指定値を判断して切り換えることによって垂直偏向波形の位相を前後に動かすことができる。
【００３４】
すなわち、現在の垂直同期信号を基準として垂直位相を前後にした垂直偏向波形を作ることができ、設定値の入力によって、容易に垂直位相を前後に移動させることができ、正確な垂直偏向波形の生成を行うことのできる垂直偏向波形生成装置を得られる効果がある。
【００３５】
また、本装置は、ＬＳＩなどで容易に構成でき、外付け部品を減らすことができ、テレビセットの部品コストを削減することができ、さらに、従来例のモノマルチバイブレータのように、ばらつき、あるいは温度ドリフトなどのばらつきなどの影響のない、垂直偏向回路を構成することができる。
【００３６】
また、ロード値生成回路１１を設けることで、垂直位置指定値を変化させたときにも垂直偏向波形の位相の変化量を同じにすることができる。
また、のこぎり波の最大値を検出する最大値検出回路７を設けたことにより、垂直同期信号の間隔を検出して、垂直偏向波形が大きくなりすぎることを防止している。したがって、ＶＴＲなどの垂直同期信号の間隔が一定でない非標準信号に対しても、安定な垂直偏向波形を得ることができる。
【００３７】
（実施の形態２）
図６は、本発明の実施の形態２による垂直偏向波形生成装置のブロック図である。１〜６、９〜１３は上記実施の形態１におけると同じである。図６において、１６は最大値入力端子である。図３の波形Ｈは、本発明の実施の形態２における垂直偏向波形の波形図である。以下、図６および図３を用いて、本発明の実施の形態２の動作について説明する。１〜６、１０〜１３については、動作は上記実施の形態１におけると同様である。
【００３８】
比較器９において、最大値入力端子１６より入力された最大値と、垂直偏向波形発生カウンタ１２の出力とを比較して、一致した時にパルスを出力する。出力したパルスを垂直偏向波形発生カウンタ１２のＲＳＴ１に入力することによって、最大値入力端子１６より入力された最大値によって、図３の波形Ｈに示すように、のこぎり波が初期値にリセットされて、位相を前に動かした垂直偏向波形を出力することができる。
【００３９】
このような、本実施の形態２による垂直偏向波形生成装置においては、垂直同期信号入力端子１より入力された現在の垂直同期信号より、カウンタ４と比較器５とを用いて後ろに位相を動かしたパルスを作ることにより、垂直偏向波形の位相を後ろに動かすことができ、一方、垂直同期信号入力端子１より入力された現在の垂直同期信号より、適切なロード値を生成して垂直偏向波形発生カウンタ１２にロードすることにより、垂直偏向波形の位相を前に動かすことができ、制御切換信号発生回路１０により、垂直位置指定値入力端子３より入力された垂直位置指定値を判断して、上記２つの位相制御回路１４、１５を切り換えることによって、垂直偏向波形の位相を前、後に動かすことができ、所望の垂直偏向波形を生成することができる。
【００４０】
また、この際、ロード値生成回路１１を設けて、適切なロード値を設定することにより、垂直偏向波形の位相を前に動かす場合も、後ろに動かす場合も、垂直位置指定値を変化させたときの垂直偏向波形の位相の変化量を同じにすることができる。
【００４１】
さらには、最大値入力端子１６より、のこぎり波の最大値を、比較器９に入力することにより、生成する垂直偏向波形が大きくなりすぎることがない。したがって、ＶＴＲなどの垂直同期信号の間隔が一定でない非標準信号に対しても、安定な垂直偏向波形を得ることができる。
【００４２】
【発明の効果】
以上のように、本発明（請求項１）にかかる垂直偏向波形生成装置によれば、垂直偏向を行うための垂直偏向波形の位相を制御する垂直偏向波形生成装置であって、垂直同期信号入力端子より入力された垂直同期信号を基準として垂直位相を前に動かした垂直偏向波形を生成するための位相制御信号を作る第１の位相制御装置と、前記垂直同期信号を基準として垂直位相を後に動かした垂直偏向波形を生成するための位相制御信号を作る第２の位相制御装置と、垂直位相を前に動かすか後に動かすかを示す制御切替信号に応じて選択される、前記第１および第２の位相制御装置のいずれかの出力である位相制御信号に応じて、所要の垂直位相を有する垂直偏向波形を生成する垂直偏向波形発生カウンタと、を備えたものとしたので、現在の垂直同期信号を基準として垂直位相を前後にした垂直偏向波形を作ることができ、設定値の入力によって容易に垂直位相を前後に移動させることができ、所要の垂直偏向波形の生成を行うことのできる垂直偏向波形生成装置を得られる効果がある。さらには、本装置は、ＬＳＩなどで容易に構成でき、外付け部品を減らすことができ、テレビセットの部品コストを削減することができ、さらに、従来例のモノマルチバイブレータのように、ばらつき、あるいは温度ドリフトなどのばらつきなどの影響のない、垂直偏向回路を構成することができる。
【００４３】
また、本発明（請求項２）にかかる垂直偏向波形生成装置によれば、請求項１記載の垂直偏向波形生成装置において、前記第２の位相制御装置は、垂直同期信号を入力とし、前記垂直同期信号を基準として一定時間遅延させる遅延装置を備え、前記垂直偏向波形発生カウンタは、前記遅延装置により生成される遅延された垂直同期信号を基準に、垂直偏向波形を生成するものとしたので、現在の垂直同期信号を基準として垂直位相を前後にした垂直偏向波形を作ることができ、設定値の入力によって、容易に垂直位相を前後に移動させることができ、所要の垂直偏向波形の生成を行うことのできる垂直偏向波形生成装置を得られる効果がある。
【００４４】
また、本発明（請求項３）にかかる垂直偏向波形生成装置によれば、請求項２記載の垂直偏向波形生成装置において、前記遅延装置は、垂直同期信号でリセットされ任意のパルスによってカウントアップするカウンタと、そのカウント値と任意の値とを比較し一致したときにパルスを出力する比較器と、より構成されるものとしたので、現在の垂直同期信号を基準として垂直位相を前後にした垂直偏向波形を作ることができ、設定値の入力によって、容易に垂直位相を前後に移動させることができ、正確な垂直偏向波形の生成を行うことのできる垂直偏向波形生成装置を得られる効果がある。
【００４５】
また、本発明（請求項４）にかかる垂直偏向波形生成装置によれば、請求項１ないし３のいずれかに記載の垂直偏向波形生成装置において、前記垂直偏向波形発生カウンタは、前記垂直同期信号を入力として有し、該垂直同期信号が入力されたときに任意のロード値を取り込み、該ロード値を初期値として垂直偏向波形を生成するものとしたので、現在の垂直同期信号を基準として垂直位相を前後にした垂直偏向波形を作ることができ、設定値の入力によって容易に垂直位相を前後に移動させることができ、所要の垂直偏向波形の生成を行うことのできる垂直偏向波形生成装置を得られる効果がある。
【００４６】
また、本発明（請求項５）にかかる垂直偏向波形生成装置によれば、請求項４記載の垂直偏向波形生成装置において、前記第１の位相制御装置は、前記垂直偏向波形発生カウンタが出力すべき垂直偏向波形の位相を設定する設定値を、前記ロード値に変換するロード値生成回路を備えたものとしたので、現在の垂直同期信号を基準として垂直位相を前後にした垂直偏向波形を作ることができ、設定値の入力によって容易に垂直位相を前後に移動させることができ、所要の垂直偏向波形の生成を行うことのできる垂直偏向波形生成装置を得られる効果がある。
【００４７】
また、本発明（請求項６）にかかる垂直偏向波形生成装置によれば、請求項１ないし５のいずれかに記載の垂直偏向波形生成装置において、前記第１の位相制御装置は、前記垂直同期信号の間隔を検出する垂直同期信号間隔検出回路と、前記検出回路の検出値と、前記垂直偏向波形発生カウンタで発生した垂直偏向波形の値とを比較して、前記垂直偏向波形発生カウンタの垂直偏向波形の値を初期値に戻すリセット回路と、を備えて構成されるものとしたので、現在の垂直同期信号を基準として垂直位相を前後にした垂直偏向波形を作ることができ、設定値の入力によって容易に垂直位相を前後に移動させることができ、所要の垂直偏向波形の生成を行うことのできる垂直偏向波形生成装置を得ることができる。しかも、ＶＴＲなどの垂直同期信号の間隔が一定でない非標準信号においても、安定な垂直偏向波形を得ることができ、また、生成する垂直偏向波形が大きくなりすぎることなく、所要の波形を得られるものを得ることができる。
【００４８】
また、本発明（請求項７）にかかる垂直偏向波形生成装置によれば、請求項１ないし５のいずれかに記載の垂直偏向波形生成装置において、前記第１の位相制御装置は、任意の一定値と、垂直偏向波形の値とを比較して、前記垂直偏向波形発生カウンタの垂直偏向波形の値を初期値に戻すリセット回路、を備えて構成されるものとしたので、現在の垂直同期信号を基準として垂直位相を前後にした垂直偏向波形を作ることができ、設定値の入力によって容易に垂直位相を前後に移動させることができ、所要の垂直偏向波形の生成を行うことのできる垂直偏向波形生成装置を得られる効果がある。しかも、生成する垂直偏向波形が大きくなりすぎることなく、所要の波形を得られるものを得ることができる。
【図面の簡単な説明】
【図１】本発明の実施の形態１による垂直偏向波形生成装置のブロック図。
【図２】本発明の実施の形態１における、位相を後ろに動作させる場合の波形図。
【図３】本発明の実施の形態１における、位相を前に動作させる場合の波形図。
【図４】ロード値生成回路の動作原理波形図。
【図５】垂直偏向波形発生カウンタ１２の詳細な回路図。
【図６】本発明の実施の形態２による垂直偏向波形生成装置のブロック図。
【図７】従来の垂直偏向波形生成装置のブロック図。
【符号の説明】
１    垂直同期信号入力端子
２    カウントアップ信号入力端子
３    垂直位置指定値入力端子
４    カウンタ
５    比較器
６    カウンタ
７    最大値検出回路
８    ２垂直期間遅延回路
９    比較器
１０  制御切換信号発生回路
１１  ロード値生成回路
１２  垂直偏向波形生成カウンタ
１３  垂直偏向波形出力端子
１４、１５  位相制御装置
２０  セレクタ
２１  加算器
２２  ＡＮＤ
２３  フリップフロップ
２４  セレクタ
２５  ＡＮＤ
３１〜３４  モノマルチバイブレータ
３５  入力端子
３６  出力端子
４０  垂直同期信号に同期した垂直偏向波形
４１  垂直偏向波形の位相を前に動かした垂直偏向波形
４２  垂直偏向波形の位相を後ろに動かした垂直偏向波形
Ａ    垂直同期信号
Ｂ    垂直偏向波形
Ｃ    垂直同期信号の位相を遅らした波形
Ｄ    垂直偏向波形の位相を遅らした波形
Ｅ    垂直同期信号
Ｆ    垂直偏向波形
Ｇ    実施の形態１における垂直偏向波形の位相を前にした波形
Ｈ    実施の形態２における垂直偏向波形の位相を前にした波形
【図１】
2004153701.tif 000003
【図２】
2004153701.tif 000004
【図３】
2004153701.tif 000005
【図４】
2004153701.tif 000006
【図５】
2004153701.tif 000007
【図６】
2004153701.tif 000008
【図７】
2004153701.tif 000009